(57)【特許請求の範囲】
【請求項１】
薄い板状の仕切板と、前記仕切板の一端部に設けられ前記仕切板面から突出し突出方向に対して圧縮変形される弾性体であるバネと、前記バネが取り付けられた複数枚の前記仕切板を重ねて揺動自在に軸支する保持具が設けられ、前記仕切板は、前記バネとは反対の端部が前記保持具に軸支され、前記バネの突出方向に揺動可能に設けられ、前記仕切り板の前記バネが設けられた一端部には凸部が側方に突出して設けられ、前記凸部に前記バネが設けられ、前記凸部の、前記バネが設けられた面と反対の面には、重ねられた他の前記仕切板の前記バネが当接する凹部が設けられていることを特徴とする衣類収納具。
【請求項２】
前記保持具には、前記仕切板の軸支された端部の両側縁部を覆う一対の板部材と、前記一対の板部材の互いに対面する側面に形成された軸受部が設けられ、前記仕切板の両脇には前記軸受部に回動可能に差し込まれる軸部が設けられていることを特徴とする請求項１記載の衣類収納具。
【請求項３】
前記衣類収納具は、開口部が設けられた筒状の外箱と、前記外箱に摺動可能な内箱が設けられ、前記仕切板は前記内箱に入れられ、前記外箱の開口部側に前記弾性体が位置し、前記外箱の奥に前記保持具が位置していることを特徴とする請求項１記載の衣類収納具。
【請求項４】
前記複数の仕切板の一番下に位置する前記仕切り板に、前記保持具が一体的に設けられていることを特徴とする請求項１記載の衣類収納具。
【発明の詳細な説明】
【技術分野】
【０００１】
この発明は、衣類を畳んだ状態で重ねて収納する衣類収納具に関する。
【背景技術】
【０００２】
従来、重ねて収納している衣類を形くずれさせず、必要な衣類を簡単に取り出せるようにした収納具がある。例えば、特許文献１に開示されている衣類の重ね収納用バインダーは、保持棒を有する台板を設け、簡単には外れないよう補強材を施したシートを設けて、この補強材に切り込みを入れた保持孔を形成して保持棒に嵌合し、シートを保持させるものである。この衣類の重ね収納用バインダーの使用方法は、シートを衣類間の緩衝材とし、各シートの上に折りたたんだ衣類を載せて収納し、収納衣類を形くずれさせずに必要な衣類を取り出すことができるようにしたものである。
【０００３】
特許文献２に開示されている収納ケースは、外ケース体における正面開口部の下辺の蝶番を支点として開閉自在に連結された扉の背面部に収納部が設けられたものである。収納部は、左右の側面板と、この左右の側面板間に張設された適数枚の仕切板とから構成され、左右の側面板は円板を略４分の１円弧の形状に裁断された扇状に構成されている。仕切板は、側面扇の折り目状に沿った状態で複数枚が設けられ、側面略V字状の収納部単体が形成されている。この収納ケースの使用方法は、仕切板の間に、折り畳んだ状態のオープンシャツ、ワイシャツなどを一枚ずつ入れて収納し、収納衣類を形くずれさせずに必要な衣類を取り出すことができるようにしたものである。
【特許文献１】特開２００１−１４９２０８号公報
【特許文献２】実開平５−９３２６８号公報
【発明の開示】
【発明が解決しようとする課題】
【０００４】
上記従来の技術の特許文献１に開示されたものの場合は、シート同士は単に重ねられているだけであり、シート間に空間が少ないため衣類を取り出しにくかった。特許文献２に開示されたものは、仕切板同士の間の空間が所定角度で固定され、衣類を取り出しやすいが、収納するときも空間が固定されているためコンパクトに収納することができなかった。
【０００５】
この発明は、上記背景技術の問題点に鑑みてなされたものであり、衣類をコンパクトに収納することができ、衣類を容易に取り出すことができる衣類収納具を提供することを目的とする。
【課題を解決するための手段】
【０００６】
本発明は、薄い板状の仕切板と、前記仕切板の一端部に設けられ前記仕切板から突出し突出方向に対して圧縮変形される弾性体と、前記弾性体が取り付けられた複数枚の前記仕切板を重ねて揺動自在に軸支する保持具が設けられ、前記仕切板は、前記弾性体とは反対の端部が前記保持具に軸支され、前記弾性体の突出方向に揺動可能に設けられている衣類収納具である。
【０００７】
また、前記弾性体はコイルバネや板バネ、スポンジや樹脂材料その他弾性を有するバネ構造のものである。前記仕切り板の前記バネが設けられる端部には凸部が側方に突出して設けられ、前記凸部に前記バネが設けられている。前記凸部の、前記バネが設けられた面と反対の面には、重ねられた他の前記仕切板の前記バネが当接する凹部が設けられている。
【０００８】
前記保持具には、前記仕切板の軸支された端部に対して略直角な両側縁部を覆う一対の板部材と、前記一対の板部材の互いに対面する側面に形成された軸受部が設けられ、前記仕切板の両脇には前記軸受部に回転可能に差し込まれる軸部が設けられている。
【０００９】
前記衣類収納具は、開口部が設けられた筒状の外箱と、前記外箱に摺動可能な内箱が設けられ、前記仕切板は前記内箱に入れられ、前記外箱の開口部側に前記弾性体が位置し、前記外箱の奥に前記保持具が位置している。また、前記複数の仕切板の一番下に位置する前記仕切り板に、前記保持具が一体的に設けられている。
【発明の効果】
【００１０】
本発明の衣類収納具は、衣類を重ねてコンパクトに収容することができ、衣類を使用するときは下に重ねられた衣類も容易にきれいに取り出すことができ、上方の衣類を乱すこともない。さらに、重ねられた衣類がつぶされて変形しにくく、収納中に皺ができることも防止するものである。
【発明を実施するための最良の形態】
【００１１】
以下、この発明の実施形態について図面に基づいて説明する。図１〜図３はこの発明の一実施形態を示すもので、この実施形態の衣類収納具１０は、矩形の外箱１２が設けられ、外箱１２は一方向に長い長方形で厚みが薄く形成され、長方形の短辺に位置するほぼ垂直な一側面には開口部１４が設けられている。
【００１２】
外箱１２の中には、外箱１２の開口部１４から出し入れされる内箱１６が設けられている。内箱１６は、外箱１２に僅かなゆとりを有して摺動可能に挿通される形状であり、長方形の底面１８と、底面１８に対してほぼ直角に設けられる４個の側面２０，２２，２４，２６が設けられている。底面１８の短辺に位置する側面２０の、上端部２０ａには、押さえ片２８が設けられている。押さえ片２８は、上端部２０ａと同じ幅であり、上端部２０ａに対して直角方向の長さは、押さえ片２８の先端部２８ａが底面１８の中心に達しないものである。押さえ片２８の、上端部２０ａに対して直角な一対の側縁部２８ｂには、半円形の差込片３０が各々設けられている。一対の差込片３０には、押さえ片２８の先端部２８ａに近い部分に、係合突起３２が外側に突出して設けられている。
【００１３】
押さえ片２８が設けられた側面２０に対して直角に位置する一対の側面２２，２６には、差込片３０の係合突起３２に対向する位置に、内側にくぼむ係合凹部３４が各々設けられている。また、この側面２２，２６の、側面２４に近い位置には、後述する保持具４８の係合突起５６が嵌合される係合凹部３６が設けられている。
【００１４】
内箱１６の中には、仕切板３８が設けられている。仕切板３８は、内箱１６に僅かなゆとりを有して底面１８に略平行に入るように一方向に長い矩形に設けられ、長手方向に交差する一方の係止端部３８ａが、後述する保持具４８に取り付けられる。係止端部３８ａに対してほぼ直角に位置する一対の側縁部３８ｂには、係止端部３８ａにほぼ一致して側方に突出する軸部４０が各々設けられている。
【００１５】
仕切板３８の、係止端部３８ａと反対側は自由端部３８ｃであり、自由端部３８ｃの両端部には、自由端部３８ｃの外側へ面一に半円形に突出する凸部４２が設けられている。凸部４２には、コイルバネ４４が設けられている。コイルバネ４４は仕切板３８に対して直角に突出して設けられ、コイルバネ４４の先端部は、環状に複数回巻かれて閉じられている。凸部４２の、コイルバネ４４が設けられた面と反対の面には、衣類収納具１０の組立状態で重ねられた仕切板３８のコイルバネ４４が差し込まれる凹部４６が形成されている。
【００１６】
衣類収納具１０には、仕切板３８が複数枚、ここでは４枚設けられている。４枚の仕切板３８は、保持具４８で連結されている。保持具４８は、図３に示すように一番下に位置する仕切板３８に一体に設けられている。仕切板３８の係止端部３８ａには、仕切板３８に対して直角に立ち上がる後壁部５０が設けられている。後壁部５０の仕切板３８からの高さは、内箱１６の側面２４よりも僅かに低いものである。仕切板３８の側縁部３８ｂには、仕切板３８に対して直角に立ち上がる横壁部５２が設けられている。横壁部５２は、後壁部５０と同じ高さであり、後壁部５０との間に角部を形成して連続し側縁部３８ｂの途中まで設けられている。横壁部５２の互いに対向する内側面５２ａには、仕切板３８の軸部４０が挿通される凹部である軸受部５４が設けられている。軸受部５４は、ここでは３個設けられ、仕切板３８に対して直角方向に等間隔に並べられている。横壁部５２の外側面５２ｂには、内箱１６の係合凹部３６に対向する位置に、係合突起５６が設けられている。
【００１７】
次に、この実施形態の衣類収納具１０の組立方法について説明する。まず、保持具４８が設けられた仕切板３８に、仕切板３８の上に重ねるように３枚の仕切板３８を取り付ける。取り付け方法は、仕切板３８の一対の軸部４０を、保持具４８の横壁部５２の軸受部５４に弾性変形させながら差し込む。これにより、仕切板３８は係止端部３８ａが保持具４８内側に揺動可能に軸止され、自由端部３８ｃは自由に移動可能となる。このときコイルバネ４４は、下に重ねられた仕切板３８の凹部４６に当接し、位置決めされる。仕切板３８は、上方から押えるとコイルバネ４４が圧縮されて厚みが少なくなり、力を抜くとコイルバネ４４が復元して自由端部３８ｃ側が持ち上がり、放射状に広がる。
【００１８】
この後、保持具４８に設けられた４枚の仕切板３８を、内箱１６に入れる。このとき、内箱１６の押さえ片２８側に仕切板３８の自由端部３８ｃが位置し、内箱１６の反対の側面２４側に保持具４８が位置するようにセットする。
【００１９】
衣類収納具１０に衣類５８を入れるときは、内箱１６の押さえ片２８を外側に開き、仕切板３８が放射状に広がる状態で、各仕切板３８の上に折りたたんだ衣類５８を置く。そして内箱１６の押さえ片２８を側面２０に対してほぼ直角に折り曲げて、仕切板３８の上から押さえる。さらに差込片３０を、押さえ片２８に対してほぼ直角に折り曲げて側面２２の内側に差し込み、差込片３０の係合突起３２を側面２２の係合凹部３４に入れ、係止する。これにより、各コイルバネ４４は圧縮されて薄くなる。押さえ片２８は、衣類５８の襟の部分も押え、形が崩れることを防いでいる。そして内箱１６を外箱１２の開口部１４に、側面２４から先に入れて押し込み収容する。
【００２０】
衣類収納具１０から収容した衣類５８を取り出すときは、外箱１２から内箱１６を引き出し、押さえ片２８を開く。すると、仕切板３８がコイルバネ４４により扇形に開き、衣類５８の端部が露出する。この状態で、必要な衣類５８を仕切板３８から引き抜いて取り出す。
【００２１】
この実施形態の衣類収納具１０によれば、簡単な構造で衣類５８を重ねてコンパクトに収容することができる。そして、衣類５８を使用するときは下に重ねられた衣類５８を容易にきれいに取り出すことができる。衣類５８は仕切板３８に載せて平坦に保管されるため、形くずれせず、きれいに収納することができる。下に重ねて保管している衣類５８を取り出すとき、上の衣類５８のたたんだ状態をくずさずに、整頓した状態を維持して取り出すことができる。コイルバネ４４は、仕切板３８の凸部４２に設けられているため、下方の衣類５８に当たることがなく、衣類５８にコイルバネ４４のあとがつくことを防いでいる。コイルバネ４４にさびが発生しても収納する衣類５８にさびの色が付着することがない。そしてコイルバネ４４の先端部は環状に閉じられているため、コイルバネ４４の金属線の端部が衣類５８に引っかかることが無く安全である。コイルバネ４４の先端部は下に位置する仕切板３８の凹部４６に差し込まれているため、確実に位置決めされ、円滑に圧縮と復元をすることができる。内箱１６には押さえ片２８が設けられ、衣類５８の襟も抑えることができ、襟が曲がることを防ぎ、また内箱１６を外箱１２から出し入れする際に襟が外箱１２に引っかかることを防いでいる。
【００２２】
なお、この発明の衣類収納具は、上記実施の形態に限定されるものではなく、弾性体は、金属バネの他樹脂バネ、厚紙等を折り畳んだ弾性部材でも良い。さらに、仕切板の形状や枚数、保持具の形状等、自由に変更可能である。仕切板を入れる箱は内箱と外箱以外にいろいろな容器でもよく、仕切板をたんすの引き出し等に直接入れてもよい。衣類はいろいろな種類に利用することができ、衣類以外の小物を収納してもよい。
【図面の簡単な説明】
【００２３】
【図１】この発明の一実施形態の衣類収納具の斜視図である。
【図２】この実施形態の衣類収納具の仕切板を示す斜視図である。
【図３】この実施形態の衣類収納具の一番下に位置する仕切板を示す斜視図である。
【符号の説明】
【００２４】
１０  衣類収納具
１２  外箱
１４  開口部
１６  内箱
２８  押さえ片
３２，５６  係合突起
３６  係合凹部
３８  仕切板
４０  軸部
４２  凸部
４４  コイルバネ
４８  保持具
５４  軸受部
【要約】
【課題】衣類をコンパクトに収納することができ、衣類を容易に取り出すことができる衣類収納具を提供する
【解決手段】薄い板状の仕切板３８と、仕切板３８の一端部に設けられ仕切板３８から突出し突出方向に対して圧縮変形されるコイルバネ４４と、コイルバネ４４が取り付けられた複数枚の仕切板３８を重ねて揺動自在に軸支する保持具４８を備える。仕切板３８は、コイルバネ４４とは反対の端部が保持具４８に軸支され、コイルバネ４４の突出方向に揺動可能に設けられている。仕切板３８のコイルバネ４４が設けられる端部には、凸部４２が側方に突出して設けられ、凸部４２にコイルバネ４４が取り付けられている。
【選択図】図１【図１】
0004065013.tif 000002
【図２】
0004065013.tif 000003
【図３】
0004065013.tif 000004